(57)【要約】      （修正有）【課題】水道プラントの監視装置において、ユーザが警報を確認容易に表示する。【解決手段】プラント監視装置３は、記憶部９、設定部８５、生成部８６、画面表示部７を具備する。記憶部は、水道プラントの機器の機器識別データＤ３１と表示位置データＤ３２とを含み機器の接続関係をビジュアル的に表すプラント監視画面データＤ３と、警報の発生した機器の機器識別データＤ４１と状態データＤ４２と警報発生時間データＤ４３とを関連付けた警報一覧データＤ４とを記憶する。設定部は、警報発生時間データに基づいて警報発生経過時間が長いほど警報の注意喚起レベルを高く設定する。生成手段は、警報発生中の機器と注意喚起レベルに対応する表示態様の状態データとを関連付けた警報付きプラント監視画面データＤ６を生成する。画面表示部は、警報付きプラント監視画面データを表示する。【選択図】図１
2012190228.tif 000002
【特許請求の範囲】
【請求項１】
水道プラントに設置されている複数の機器の機器識別データと前記複数の機器のそれぞれの表示位置データとを含み前記複数の機器の接続関係をビジュアル的に表すプラント監視画面データと、警報の発生した機器の機器識別データと警報の状態を示す状態データと警報発生時間データとを関連付けた警報一覧データと、を記憶する記憶手段と、
前記警報発生時間データに基づいて前記警報が発生してから経過した時間が長いほど前記警報の注意喚起レベルを高く設定する設定手段と、
前記プラント監視画面データと、前記注意喚起レベルと、前記警報一覧データ又は前記警報一覧データから警報発生中のデータのみを選択した警報サマリデータとに基づいて、前記警報発生中の機器と前記注意喚起レベルに対応する表示態様の前記状態データとを関連付けた警報付きプラント監視画面データを生成する生成手段と、
前記警報付きプラント監視画面データを表示する画面表示手段と
を具備するプラント監視装置。
【請求項２】
請求項１記載のプラント監視装置において、
前記記憶手段は、前記機器によって測定された測定値を記憶し、
ユーザによって設定された前記機器に対する警報発生判断に用いられるしきい値を前記記憶手段に記憶するしきい値設定手段と、
前記測定値が前記しきい値の示す許容範囲を超える場合に、警報発生と判断し、警報の発生した前記機器の機器識別データと前記状態データと前記警報発生時間データとを関連付けて、前記警報一覧データに登録する警報登録手段と
をさらに具備するプラント監視装置。
【請求項３】
コンピュータに、
記憶装置に記憶されており、水道プラントに設置されている複数の機器の機器識別データと前記複数の機器のそれぞれの表示位置データとを含み前記複数の機器の接続関係をビジュアル的に表すプラント監視画面データと、警報の発生した機器の機器識別データと警報の状態を示す状態データと警報発生時間データとを関連付けた警報一覧データと、にアクセスする機能、
前記記憶装置に記憶されている前記プラント監視画面データの前記警報発生時間データに基づいて、前記警報が発生してから経過した時間が長いほど前記警報の注意喚起レベルを高く設定する機能、
前記記憶装置に記憶されている前記プラント監視画面データと、前記警報一覧データ又は前記警報一覧データから警報発生中のデータのみを選択した警報サマリデータと、前記注意喚起レベルとに基づいて、警報発生中の機器と前記注意喚起レベルに対応する表示態様の前記状態データとを関連付けた警報付きプラント監視画面データを生成し、生成された前記警報付きプラント監視画面データを前記記憶装置に記憶する機能、
前記記憶装置に記憶されている前記警報付きプラント監視画面データを表示装置に表示する機能
を実現させるプログラム。
【発明の詳細な説明】
【技術分野】
【０００１】
本発明の実施形態は、プラントで発生した警報を監視するプラント監視装置及びプログラムに関する。
【背景技術】
【０００２】
プラント監視装置は、プラントに配置されている設備機器に関するデータが上限値又は下限値を超えた場合、又は、設備機器に故障が発生した場合、設備機器の警報を警報一覧画面に表示する。
【０００３】
警報一覧画面では、新しく発生した警報を上位に、古い警報を下位に表示する。未復帰の警報（現在発生中の警報）の後に、新たに警報が発生すると、新たに発生した警報が画面上位に表示され、古い未復帰の警報が警報一覧画面から送り出され、表示されなくなる場合がある。未復帰の警報が警報一覧画面に表示されなくなると、警報事象に対して修繕などの対応が必要であっても、ユーザ（監視員）が未復帰の警報をチェックすることが困難となる。
【０００４】
警報一覧画面は、復帰済みの警報と未復帰の警報との双方、すなわち警報に関する履歴を表示する。プラント監視装置の中には、警報一覧画面の表示内容の中から、未復帰の警報に関するデータのみを選択し、表示する警報サマリ画面を表示する装置がある。従来のプラント監視装置において、警報サマリ画面は、ユーザが警報サマリ画面を表示する指示を出すことによって表示される。このため、ユーザが警報サマリ画面の表示を指示しなければ、警報サマリ画面は表示されず、警報に対する対応が遅れる場合がある。警報に対する対応が遅れると、設備機器の故障、制御不能が生じ、プラントの適切な運用が困難となる。また、設備機器に関する正確なデータを収集することが困難となる場合もある。
【先行技術文献】
【特許文献】
【０００５】
【特許文献１】特開２０００−３４７７２４号公報
【特許文献２】特開平６−１５０１７９号公報
【特許文献３】特開平１０−９１２３４号公報
【発明の概要】
【発明が解決しようとする課題】
【０００６】
本発明の実施形態は、ユーザが警報を確認容易に表示する水道プラントのプラント監視装置及びプログラムを提供することを目的とする。
【課題を解決するための手段】
【０００７】
第１の実施形態によれば、プラント監視装置は、記憶手段、設定手段、生成手段、画面表示手段を具備する。記憶手段は、水道プラントに設置されている複数の機器の機器識別データと複数の機器のそれぞれの表示位置データとを含み複数の機器の接続関係をビジュアル的に表すプラント監視画面データと、警報の発生した機器の機器識別データと警報の状態を示す状態データと警報発生時間データとを関連付けた警報一覧データと、を記憶する。設定手段は、警報発生時間データに基づいて警報が発生してから経過した時間が長いほど警報の注意喚起レベルを高く設定する。生成手段は、プラント監視画面データと、注意喚起レベルと、警報一覧データ又は警報一覧データから警報発生中のデータのみを選択した警報サマリデータとに基づいて、警報発生中の機器と注意喚起レベルに対応する表示態様の状態データとを関連付けた警報付きプラント監視画面データを生成する。画面表示手段は、警報付きプラント監視画面データを表示する。
【図面の簡単な説明】
【０００８】
【図１】第１の実施形態に係るプラント監視システムの構成の一例を示すブロック図。
【図２】第１の実施形態に係るプラント監視装置の処理の一例を示すフローチャート。
【図３】第１の実施形態に係るプラント監視画面及び警報一覧画面の一例を示す画面図。
【図４】第１の実施形態に係る警報サマリ画面及び警報付きプラント監視画面の一例を示す画面図。
【図５】第２の実施形態に係るプラント監視システムの構成の一例を示すブロック図。
【図６】第３の実施形態に係るプラント監視システムの構成の一例を示すブロック図。
【発明を実施するための形態】
【０００９】
以下、図面を参照しながら本発明の各実施の形態について説明する。なお、以下の説明において、略または実質的に同一の機能および構成要素については、同一符号を付し、必要に応じて説明を行う。
【００１０】
（第１の実施形態）
本実施形態においては、プラントに設置されている機器に対する警報が発生した場合に、プラント監視画面上の警報の発生した機器に対して、警報の状態データを付けて表示するプラント監視装置について説明する。
【００１１】
本実施形態に係るプラント監視装置は、時間経過に応じて、発生中の警報の状態データを目立つように表示する。
【００１２】
図１は、本実施形態に係るプラント監視システムの構成の一例を示すブロック図である。
【００１３】
プラント監視システム１は、各種の機器２１〜２ｎと、プラント監視装置３とを具備する。本実施形態において、プラント監視システム１は、上水道プラントと下水道プラントとのうちの少なくとも一方を含む水道プラント（監視対象プラント）を監視する。
【００１４】
機器２１〜２ｎは、水道プラントの路上局に設置される。機器２１〜２ｎは、例えば、配水設備機器、流量計、水圧計、濁度計、残塩計、水温計、テレメータ、ＵＰＳ、塩素計などである。機器２１〜２ｎは、測定値を、ネットワーク４経由で、プラント監視装置３に送信する。
【００１５】
プラント監視装置３は、通信部５、入力装置６、表示装置７、プロセッサ８、記憶装置９を具備する。
【００１６】
通信部５は、機器２１〜２ｎからネットワーク４経由で測定値を受信する。
【００１７】
入力装置６は、例えば監視員などのようなユーザから、プラント監視装置３に対する各種の指示を受け付ける。
【００１８】
表示装置７は、入力装置６によって受け付けられた指示に応じて、プラント監視装置３に保持されている各種のデータを表示する。
【００１９】
プロセッサ８は、記憶装置９に記憶されている監視プログラムＰ１を実行する。これにより、プロセッサ８は、測定値取得部８１、しきい値設定部８２、警報登録部８３、サマリ生成部８４、レベル設定部８５、生成部８６、表示制御部８７としての処理を実行する。
【００２０】
測定値取得部８１は、通信部５によって受信された各機器２１〜２ｎの測定値を取得し、各機器の測定値を含む測定値データＤ１を記憶装置９に記憶する。
【００２１】
しきい値設定部８２は、入力装置６を操作するユーザによって設定された各機器２１〜２ｎに対する警報判断用のしきい値を含むしきい値データＤ２を記憶装置９に記憶する。
【００２２】
本実施形態のように、しきい値データＤ２を設定・変更可能とすることで、警報発生数を柔軟に調整することができる。例えば、警報発生を厳しくする（しきい値に基づいて定まる許容範囲を狭くする）ことにより、警報発生数を増加させることができる。また、例えば、警報発生を緩くする（しきい値に基づいて定まる許容範囲を広くする）ことにより、警報発生数を減少させることができる。
【００２３】
記憶装置９に記憶されているプラント監視画面データＤ３は、機器２１〜２ｎの機器識別データＤ３１と機器２１〜２ｎの表示位置データＤ３２とを含む。プラント監視画面データＤ３は、機器識別データＤ３１の示す機器２１〜２ｎを、表示位置データＤ３２の示す位置に配置し、機器２１〜２ｎの接続関係をビジュアル的に表す。
【００２４】
警報登録部８３は、記憶装置９に記憶されている測定値データＤ１としきい値データＤ２とに基づいて、各機器２１〜２ｎの測定値がしきい値（上限値又は下限値）に基づいて定まる許容範囲を超えるか否かを判断する。警報登録部８３は、機器の測定値が許容範囲を超えた場合に、この機器に対する警報発生と判断する。そして、警報登録部８３は、警報の発生した機器（許容範囲を超えた測定値に対応する機器）の機器識別データＤ４１、例えば異常発生中、警報の内容、警報の重要度（例えば軽故障又は重故障）などを含む状態データＤ４２、警報発生時間データＤ４３を関連付けて、警報一覧データＤ４に登録する。警報の内容、重要度などは、例えば、しきい値に対応付けられており、測定値がしきい値を超えた場合に、この対応付けられた警報の内容、重要度が状態データに組み込まれるとしてもよい。
【００２５】
さらに、警報登録部８３は、警報の発生していた機器の測定値が許容範囲内になった場合に、機器復帰と判断する。そして、警報登録部８３は、復帰した機器（許容範囲内の測定値に対応する機器）の機器識別データ、復帰を示す状態データ、復帰時間データを、警報一覧データＤ４に登録する。
【００２６】
このように、警報一覧データＤ４は、各機器２１〜２ｎの警報発生、警報復帰などの履歴を管理するデータである。
【００２７】
サマリ生成部８４は、記憶装置９に記憶されている警報一覧データＤ４の中から、現在発生中の警報に対する機器識別データＤ５１、例えば警報の内容および警報の重要度などを含む状態データＤ５２、警報発生時間データＤ５３を選択する。そして、サマリ生成部８４は、選択された機器識別データＤ５１、状態データＤ５２、警報発生時間データＤ５３、警報が発生してから経過した時間を示す経過時間データＤ５４を関連付けて警報サマリデータＤ５に登録する。
【００２８】
このように、警報サマリデータＤ５は、警報発生中の警報のみに関するデータである。
【００２９】
なお、サマリ生成部８４は、警報が復帰した場合に、この復帰に対応する機器識別データ、状態データ、警報発生時間データ、経過時間データを警報サマリデータＤ５から削除することにより、警報サマリデータＤ５から復帰された警報に関するデータを排除するとしてもよい。これにより、警報サマリデータＤ５は、警報一覧データＤ４の中から、警報発生中のデータのみを抽出したデータとなる。
【００３０】
レベル設定部８５は、記憶装置９に記憶されている警報一覧データＤ４又は警報サマリデータＤ５に基づいて、警報発生中の機器について、警報が発生してから所定期間経過したか否か判定する。そして、レベル設定部８５は、発生から所定期間経過した警報について、経過した時間が長いほど、注意喚起レベルを高く設定する。本実施形態においては、注意喚起レベルが高い警報ほど、目立つ表示態様で表示される。
【００３１】
生成部８６は、記憶装置９に記憶されているプラント監視画面データＤ３、記憶装置９に記憶されている警報一覧データＤ４又は警報サマリデータＤ５、レベル設定部８５によって設定された警報発生中の機器の注意喚起レベルに基づいて、プラント監視画面データＤ３における警報発生中の機器に対して、機器識別データＤ３１，Ｄ４１，又はＤ５１、注意喚起レベルに対応する表示態様の状態データＤ４２又はＤ５２、警報発生時間データＤ４３又はＤ５３、経過時間データＤ５４などを関連付けた警報付きプラント監視画面データＤ６を生成する。そして、生成部８６は、生成された警報付きプラント監視画面データＤ６を記憶装置９に記憶する。
【００３２】
本実施形態においては、プラント監視画面データＤ３と、警報一覧データＤ４と、警報サマリデータＤ５とは、それぞれ機器識別データＤ３１，Ｄ４１，Ｄ５１を含み、互いに紐付けされている。したがって、関連するデータを他のデータ内に組み込むなどによって、警報付きプラント監視画面データＤ６の生成は可能である。
【００３３】
表示制御部８７は、入力装置６を操作するユーザからの指示にしたがって、プラント監視画面データＤ３又は警報付きプラント監視画面データＤ６を表示装置７に表示させるための制御を行う。また、表示制御部８７は、ユーザからの指示にしたがって、警報一覧データＤ４に基づいて表示装置７に警報一覧画面を表示させるための制御を行う。さらに、表示制御部８７は、ユーザからの指示にしたがって、警報サマリデータＤ５に基づいて表示装置７に警報サマリ画面を表示させるための制御を行う。
【００３４】
図２は、本実施形態に係るプラント監視装置３の処理の一例を示すフローチャートである。
【００３５】
ステップＳ１において、記憶装置９は、プラント監視画面データＤ３を記憶する。
【００３６】
ステップＳ２において、しきい値設定部８２は、ユーザからの指示にしたがって、しきい値が設定されるか否か判断する。しきい値が新たに設定されない場合、処理は、ステップＳ４に移動する。
【００３７】
しきい値が設定される場合、ステップＳ３において、しきい値設定部８２は、設定されたしきい値に基づいて、しきい値データＤ２を記憶装置９に記憶又は更新する。
【００３８】
ステップＳ４において、測定値取得部８１は、機器２１〜２ｎの測定値を取得し、測定値データＤ１を記憶装置９に記憶する。
【００３９】
ステップＳ５において、警報登録部８３は、測定値データＤ１としきい値データＤ２とに基づいて、機器２１〜２ｎに対して警報発生中、復帰などの状態を判断し、判断結果に基づいて警報の履歴を示す警報一覧データＤ４を更新する。
【００４０】
ステップＳ６において、サマリ生成部８４は、警報一覧データＤ４から、警報発生中のデータのみを選択し、警報サマリデータＤ５を生成し、警報サマリデータＤ５を記憶装置９に記憶する。
【００４１】
ステップＳ７において、レベル設定部８５は、警報サマリデータＤ５の経過時間データＤ５４に基づいて、警報の経過時間が所定期間を超えているか否か判断する。
【００４２】
警報の経過時間が所定期間を超えていない場合、ステップＳ８において、表示制御部８７は、ユーザの指示にしたがって、プラント監視画面データＤ３、警報一覧データＤ４、警報サマリデータＤ５を表示する。
【００４３】
警報の経過時間が所定期間を超えている場合、ステップＳ９において、レベル設定部８５は、警報一覧データＤ４中の警報発生中のデータ又は警報サマリデータＤ５に基づいて、警報が発生してから経過した時間の長い警報ほど注意喚起レベルが高くなるように、発生中の警報に対する注意喚起レベルを設定する。
【００４４】
ステップＳ１０において、生成部８６は、プラント監視画面データＤ３に、設定された注意喚起レベルに応じた表示形態で、警報発生中の機器識別データ、状態データ、警報発生時間データ、経過時間データなどを組み込んだ警報付きプラント監視画面データＤ６を生成し、警報付きプラント監視画面データＤ６を記憶装置９に記憶する。
【００４５】
ステップＳ１１において、表示制御部８７は、ユーザの指示にしたがって、プラント監視画面データＤ３、警報一覧データＤ４、警報サマリデータＤ５、警報付きプラント監視画面データＤ６を表示装置７に表示する。
【００４６】
ステップＳ１２において、プラント監視装置３は、処理を停止するか否か判断し、処理を停止しない場合には、処理はステップＳ２に戻る。
【００４７】
図３は、本実施形態に係るプラント監視画面及び警報一覧画面の一例を示す画面図である。
【００４８】
プラント監視画面Ｗ１では、機器の接続関係が表示される。
【００４９】
警報一覧画面Ｗ２では、警報の履歴として、警報の発生時間、警報の状態（例えば、重故障又は軽故障、発生中又は復旧済み、警報内容など）が関連付けられた状態（同じ行）で表示される。
【００５０】
ユーザは、警報一覧画面Ｗ２を参照することにより、機器の故障等の警報について確認可能である。警報一覧画面Ｗ２では、新しく発生した警報ほど上位に表示される。したがって、警報発生中であり、修繕・対応が必要であっても、古い警報は、時間が経過すると表示領域から送り出され、非表示となる。送り出された古い警報は、スライドバーを移動させることで表示可能である。
【００５１】
図４は、本実施形態に係る警報サマリ画面及び警報付きプラント監視画面の一例を示す画面図である。
【００５２】
警報サマリ画面Ｗ３は、ユーザによって警報サマリ画面の表示が指示されることにより表示される。警報サマリ画面Ｗ３は、現在発生中の警報の発生時間、警報の状態（重故障又は軽故障、警報内容）が関連付けられた状態（同じ行）で表示される。
【００５３】
警報付きプラント監視画面Ｗ４上には、警報発生中の機器に関連付けて、例えば警報の発生時間、警報の状態、警報が発生してからの経過時間を記す表示欄（例えば、吹き出し、コメント欄、又は表示ブロックなど）が表示される。すなわち、警報付きプラント監視画面Ｗ４は、プラント監視画面データＤ３に、警報サマリデータＤ５の内容を記す表示欄を組み込んで表示される画面である。警報付きプラント監視画面Ｗ４では、現在発生中の警報の内容がポップアップされる。このポップアップされた表示欄の背景色は、重故障の警報と軽故障の警報とで変えてもよい。例えば、重故障の表示欄の背景は赤で表示され、軽故障の表示欄の背景は黄で表示される。
【００５４】
警報付きプラント監視画面Ｗ４の表示欄がクリックされると、この表示欄に対応するデータを表示する警報サマリ画面Ｗ３が表示される。
【００５５】
また、警報の表示欄は、注意喚起レベル（例えば警報発生からの経過時間）が大きくなるほど目立つように、色を変化させてもよく、点滅させてもよく、拡大させてもよく、振動させてもよく、枠の形状を変化させてもよく、明るく表示させてもよい。
【００５６】
以上説明された本実施形態においては、警報サマリ画面Ｗ３を表示させなくても、警報付きプラント監視画面Ｗ４上に、警報発生中の警報の内容を機器に関連付けた形式で表示させることができる。警報付きプラント監視画面Ｗ４はユーザの通常監視画面として使用可能である。
【００５７】
本実施形態においては、警報発生中の機器の位置又はその周辺位置に、警報が未復帰であり、修繕・対策が必要であることが表示されるため、ユーザに対して修繕・対策を強く意識させることができる。
【００５８】
本実施形態においては、警報の発生時間、警報内容、経過時間が表示され、警報に対する修繕・対応が遅れること及び忘れられることを防止することができる。
【００５９】
本実施形態においては、警報発生からの経過時間が長くなるほど、注意喚起レベルが上がるため、ユーザに未修繕の警報に対する対応を強く喚起することができる。
【００６０】
本実施形態においては、警報発生判断のしきい値を設定可能であるため、警報発生数を調整することができる。
【００６１】
本実施形態においては、警報サマリデータＤ５に含まれている発生中の警報の全てを警報付きプラント監視画面Ｗ４に表示させるのではなく、警報が発生してから所定期間（例えば２時間など）経過した場合に、その警報を警報付きプラント監視画面Ｗ４に表示させる。これにより、警報付きプラント監視画面Ｗ４に表示される警報の数が多くなり、画面が煩雑になり、注意喚起効果が低下することを防止することができる。
【００６２】
（第２の実施形態）
本実施形態においては、上記第１の実施形態の変形例について説明する。
【００６３】
図５は、本実施形態に係るプラント監視システムの構成の一例を示すブロック図である。
【００６４】
プロセッサ８は、記憶装置９に記憶されている制御プログラムＰ２を実行する。これにより、プロセッサ８は、制御部１０としての処理を実行する。
【００６５】
制御部１０は、記憶装置９に記憶されている測定値データＤ１に基づいて、プラントに設置されている制御対象の機器１１１〜１１ｍを制御する制御値を求める。そして、制御部１０は、通信部５、ネットワーク４経由で、制御対象の機器１１１〜１１ｍに制御値を送信する。制御部１０は、例えば、バルブ開閉、薬液注入などの制御を行う。
【００６６】
通信部５は、ネットワーク４経由で機器１１１〜１１ｍに制御値を送信する。
【００６７】
本実施形態においては、上記第１の実施形態の監視支援に加えて、プラントの制御を行うことができる。
【００６８】
（第３の実施形態）
本実施形態においては、上記第１及び第２の実施形態の変形例について説明する。
【００６９】
図６は、本実施形態に係るプラント監視システムの構成の一例を示すブロック図である。
【００７０】
上記第１の実施形態においては、例えば重故障又は軽故障などの警報の重要度、警報が発生してから経過した時間の長さに基づいて、警報の表示欄の表示態様が変化される。
【００７１】
本実施形態では、さらに、機器２１〜２ｎごとの警報発生回数に基づいて、表示欄の表示態様が変化される。
【００７２】
しきい値データＤ７は、各機器２１〜２ｎについて、警報の発生回数のレベルを判断するためのしきい値ＴＡ，ＴＢ，ＴＣを含む。ここで、ＴＡ＜ＴＢ＜ＴＣであるとする。
【００７３】
しきい値設定部８２は、設定されたしきい値データＤ７を記憶装置９に記憶する。
【００７４】
生成部８６は、警報一覧データＤ４に基づいて、警報付きプラント監視画面データＤ６に組み込まれる表示欄に対応する警報の発生回数を算出し、警報の発生回数としきい値ＴＡ＜ＴＢ＜ＴＣとを比較する。
【００７５】
そして、生成部８６は、警報の発生回数がある段階ＴＣを超えるまでは警報の発生回数の上昇に合わせて表示欄の注意喚起レベルを高くし、ある段階ＴＣ以上になると、表示欄の注意喚起レベルを低くする。
【００７６】
例えば、生成部８６は、ＴＡ＜警報の発生回数＜ＴＢの場合には、表示欄を黄とする。生成部８６は、ＴＢ＜警報の発生回数＜ＴＣの場合には、表示欄を赤とする。生成部８６は、ＴＣ＜警報の発生回数の場合には、表示欄をオレンジ色とする。
【００７７】
以上説明したように、本実施形態においては、例えば、警報の発生回数と、表示欄の色、明るさ、形、又は振動とを連動させ、警報の発生回数が増加するごとに表示欄を目立たせ、警報の発生回数が所定の値を超えた場合に、表示欄を目立たなくすることができる。
【００７８】
これにより、警報の発生回数が増加傾向にある機器について、ユーザに注意喚起することができる。また、過去においては警報が頻発したが現在は安定している機器について、注意喚起のレベルを低下させることができる。ユーザは、処置の必要な機器及び処理の緊急度を把握することができる。
【００７９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８０】
１…プラント監視システム、２１〜２ｎ，１１１〜１１ｍ…機器、３…プラント監視装置、４…ネットワーク、５…通信部、６…入力装置、７…表示装置、８…プロセッサ、８１…測定値取得部、８２…しきい値設定部、８３…警報登録部、８４…サマリ生成部、８５…レベル設定部、８６…生成部、８７…表示制御部、９…記憶装置、１０…制御部、Ｄ１…測定値データ、Ｄ２，Ｄ７…しきい値データ、Ｄ３…プラント監視画面データ、Ｄ３１…機器識別データ、Ｄ３２…表示位置データ、Ｄ４…警報一覧データ、Ｄ４１…機器識別データ、Ｄ４２…状態データ、Ｄ４３…警報発生時間データ、Ｄ５…警報サマリデータ、Ｄ５１…機器識別データ、Ｄ５２…状態データ、Ｄ５３…警報発生時間データ、Ｄ６…警報付きプラント監視画面データ、Ｄ６１…機器識別データ、Ｄ６２…表示位置データ、Ｄ６３…状態データ、Ｐ１…監視プログラム、Ｐ２…制御プログラム、Ｗ１…プラント監視画面、Ｗ２…警報一覧画面、Ｗ３…警報サマリ画面、Ｗ４…警報付きプラント監視画面。
【図１】
2012190228.tif 000003
【図２】
2012190228.tif 000004
【図３】
2012190228.tif 000005
【図４】
2012190228.tif 000006
【図５】
2012190228.tif 000007
【図６】
2012190228.tif 000008